(57)【要約】【課題】暖房効率を向上させることができる暖房機を提供する。【解決手段】発熱部と、発熱部を内部に収容し、発熱部の熱を外表面から放熱する設置時における上下方向に延び水平方向に隣接する複数のフィン１２を有する放熱部１０と、放熱部１０を収容する筐体３０と、を備える。水平方向に隣接する複数のフィン１２は、下方から上方に流れる空気の流路１６を形成する。複数のフィン１２は、上下方向において断続的に形成され、各フィン１２は、上下方向視した場合、上下方向に隣接する複数のフィン１２が形成する流路１６内に位置する。【選択図】図３
2020148413.tif 000002
【特許請求の範囲】
【請求項１】
発熱部と、
前記発熱部を内部に収容し、前記発熱部の熱を外表面から放熱する設置時における上下方向に延び水平方向に隣接する複数のフィンを有する放熱部と、
前記放熱部を収容する筐体と、を備え、
前記水平方向に隣接する複数のフィンは、下方から上方に流れる空気の流路を形成し、
前記複数のフィンは、前記上下方向において断続的に形成され、
各前記フィンは、前記上下方向視した場合、前記上下方向に隣接する前記複数のフィンが形成する前記流路内に位置する、暖房機。
【請求項２】
前記放熱部は、前記上下方向に配列され前記筐体に収容される複数の放熱部であり、
各前記放熱部は、前記上下方向視した場合、前記上下方向に隣接する前記放熱部が有する前記水平方向に隣接する複数のフィンが形成する前記流路内に、前記各フィンが位置するように配置される、請求項１記載の暖房機。
【請求項３】
前記複数の放熱部は、同一形状であり、
前記上下方向に隣接する前記放熱部は、前記流路の幅よりも小さい距離分前記水平方向にずらして配置される、請求項２記載の暖房機。
【請求項４】
前記筐体は、下方に設けられる空気入口と、上方に設けられる空気出口と、を有する、請求項１から３の何れか一項記載の暖房機。
【発明の詳細な説明】
【技術分野】
【０００１】
本発明は、暖房機に関する。
【背景技術】
【０００２】
従来、シーズヒータなどの発熱部を有し、発熱部の熱で筐体内の空気を暖めることにより、対流を起して空調対象室の空気を暖める、自然対流式の暖房機がある。具体的には、筐体は、例えば下方に空気入口を有し、上方に空気出口を有する。空気入口から取り入れられた低温の空気は、発熱部の熱で暖められ、ドラフト効果によって上昇する。上昇した高温の空気は、空気出口から放出されることで、空気が対流する。
【先行技術文献】
【特許文献】
【０００３】
【特許文献１】特開平４−３５９７５０号公報
【発明の概要】
【発明が解決しようとする課題】
【０００４】
このような暖房機は、自然対流を利用するため、ファンなどにより暖かい空気を送風する、例えば石油ファンヒータやガスファンヒータなどの暖房機に比べて、周囲の塵埃をまき散らすことがないというメリットがある。また、自然対流式の暖房機は、発火や燃焼がないため、空調対象室の換気を必要としないというメリットがある。一方、自然対流式の暖房機は、電源を入れてから温度を均一に空気を暖めるまでに時間を要する。このため、自然対流式の暖房機には、より暖房効率を上昇させることが求められている。
【０００５】
本発明はこのような事情を考慮してなされたもので、暖房効率を向上させることができる暖房機を提供することを目的とする。
【課題を解決するための手段】
【０００６】
本発明に係る暖房機は、上述した課題を解決するために、発熱部と、前記発熱部を内部に収容し、前記発熱部の熱を外表面から放熱する設置時における上下方向に延び水平方向に隣接する複数のフィンを有する放熱部と、前記放熱部を収容する筐体と、を備え、前記水平方向に隣接する複数のフィンは、下方から上方に流れる空気の流路を形成し、前記複数のフィンは、前記上下方向において断続的に形成され、各前記フィンは、前記上下方向視した場合、前記上下方向に隣接する前記複数のフィンが形成する前記流路内に位置する。
【発明の効果】
【０００７】
本発明に係る暖房機においては、暖房効率を向上させることができる。
【図面の簡単な説明】
【０００８】
【図１】本発明に係る暖房機の一実施形態を示す暖房機の前面側から見た斜視図。
【図２】暖房機の左右パネルを取り外し、左側面側から見た側面図。
【図３】図２の暖房機を右側面側から見た側面図。
【図４】暖房機の左右パネルを取り外し、かつ放熱ユニットを説明する後面側から見た斜視図。
【図５】図２のV−V線に沿う断面図。
【図６】図２のVI−VI線に沿う端面図。
【図７】発熱部が上下方向に延びる場合の変形例としての暖房機が有する放熱部の構成図。
【発明を実施するための形態】
【０００９】
本発明に係る暖房機の実施形態を添付図面に基づいて説明する。
【００１０】
図１は、本発明に係る暖房機の一実施形態を示す暖房機１の前面側から見た斜視図である。
図２は、暖房機１の左右パネル３５を取り外し、左側面側から見た側面図である。
図３は、図２の暖房機１を右側面側から見た側面図である。
図４は、暖房機１の左右パネル３５を取り外し、かつ放熱ユニット８０を説明する後面側から見た斜視図である。
図５は、図２のV−V線に沿う断面図である。
図６は、図２のVI−VI線に沿う端面図である。
【００１１】
以下の説明において、「前（前面）」、「後（背面）」、「上」、「下」、「右」、および「左」は、図１から図７における定義に従う。また、上下方向は、暖房機１の設置時における上下方向に対応する。前後方向および左右方向は、暖房機１の設置時における水平方向に対応する。
【００１２】
暖房機１は、放熱部１０と、発熱部２０と、筐体３０と、遮熱板５０と、固定具６０と、を主に有する。
【００１３】
放熱部１０は、発熱部２０（図５）を内部に収容し、発熱部２０の熱を外表面から放熱する。放熱部１０は、例えばアルミニウム合金のダイカスト成形品である。放熱部１０は、発熱部収容部１１と、フィン１２と、を有する。発熱部収容部１１は、前後方向に沿う面方向を有する右面１３と、右面１３に左右方向で対向し前後方向に沿う面方向を有する左面１４と、を有する。発熱部２０は、この右面１３および左面１４の間に収容される。フィン１２は、右面１３および左面１４から略垂直に突出し、設置時における上下方向に延びる（上下方向に沿う面方向を有する）複数のフィン１２である。複数のフィン１２は、前後方向（水平方向）に隣接し、例えば略等間隔で配列される。フィン１２は、発熱部２０の熱を外表面から放熱すると同時に、下方から上方に流れる空気の流路１６を形成する。放熱部１０は、固定具６０で支持されるための貫通孔１５（図６）を有する。貫通孔１５は、前後方向の中心を対称に２箇所形成され、フィン１２内を左右方向に貫通して形成される。
【００１４】
放熱部１０は、上下方向に沿って配列され筐体３０に収容される複数の放熱部であり、上段放熱部１０ａ、中段放熱部１０ｂ、および下段放熱部１０ｃを有する。例えば、上段放熱部１０ａ、中段放熱部１０ｂ、および下段放熱部１０ｃは、フィン１２の形状、フィン１２の寸法、および隣接するフィン１２の間隔を含み、略同一の形状（外形）を有する。
【００１５】
発熱部２０は、両端に端子（図示せず）を有する、例えばシーズヒータである。発熱部２０は、主に前後方向に延びたＵ字形状を有する。発熱部２０は、端子を露出して各放熱部１０の内部に収容されている。例えば、発熱部２０は、放熱部１０の内部に鋳込まれることにより、放熱部１０と一体成形される。
【００１６】
筐体３０は、放熱部１０を収容し、暖房機１の外郭をなす。筐体３０は、前板３１と、後板３２と、下板３３と、上カバー３４と、左右パネル３５と、を有する。前板３１、後板３２、下板３３、上カバー３４、および左右パネル３５は、例えば冷間圧延鋼板や溶融亜鉛めっき鋼板などの薄鋼板からなる。
【００１７】
前板３１は、暖房機１の前面に沿って配置される。前板３１は、表示部３７と、操作部３８と、前側取っ手３９ａと、を有する。表示部３７は、暖房機１の運転状態や操作内容を表示する、例えば液晶表示パネルである。操作部３８は、暖房機１の電源の入れ切れや、運転内容の指示を受け付ける。前側取っ手３９ａは、表示部３７の上方に配置され、ユーザによる暖房機１の移動に用いられる。後板３２は、暖房機１の後面に沿って配置される。後板３２は、前側取っ手３９ａと前後方向において対になる位置に、後側取っ手３９ｂを有する。前板３１および後板３２は、前後方向で対向する一対の内壁３１ａ、３２ａ（図６）を有する。
【００１８】
下板３３は、暖房機１の下面に沿って配置される。下板３３は、前板３１、後板３２、および遮熱板５０のベースとなる。下板３３は、暖房機１内に空気を取り入れる空気入口４０（図４）を有する。下板３３は、暖房機１を移動するために用いられる一対のキャスター付脚４１を下方の前後方向において対になる位置に有する。
【００１９】
上カバー３４は、暖房機１の上面に沿って上方に配置される。上カバー３４は、グリル４２と、金網４３と、パネル取付具４５と、を有する。グリル４２は、空気入口４０から取り入れられ、主に流路１６を下から上に向かって流れる空気の出口となる空気出口４６を有する。金網４３は、空気出口４６を塞ぐように、グリル４２の下方に配置される。パネル取付具４５は、金網４３の下方に配置され、一対の遮熱板５０間に前後に架設された枠部材である。パネル取付具４５は、左右パネル３５を固定するための構造である爪部４５ａを左右の枠面に有する。
【００２０】
左右パネル３５は、暖房機１の左右側面に沿ってそれぞれ配置される。左右パネル３５は、放熱部１０からの高温の熱に対するユーザの安全性を確保するため、放熱部１０を覆って遮蔽する。これにより、暖房機１の内部はユーザにより視認されない。
【００２１】
左右パネル３５は、上端に内面方向の折返し（図示せず）を有する。左右パネル３５の上端は、この折り返しをパネル取付具４５の爪部４５ａに引っ掛けることにより固定されている。左右パネル３５の下端は、下板３３にネジ止めされることにより固定されている。また、左右パネル３５の前後端は、前板３１および後板３２にそれぞれ係止されている。左右パネル３５の中央部３６ａは、外縁部３６ｂに対して放熱部１０から離れるように膨出した形状を有している。これにより左右パネル３５は、遮熱板５０とは非接触に固定されているとともに、放熱部１０との間に一定の隙間が設けられている。このため、左右パネル３５は、過剰な温度上昇が抑制されている。
【００２２】
遮熱板５０は、例えば薄鋼板からなり、放熱部１０からの熱を、前板３１および後板３２の一対の内壁３１ａ、３２ａと放熱部１０との間で遮熱する。すなわち、遮熱板５０は、前側遮熱板５０ａと、後側遮熱板５０ｂと、を有する一対の遮熱板５０である。図６に示すように、前側遮熱板５０ａは、前板３１の内壁３１ａと放熱部１０の前端１９ａとの間に配置される。後側遮熱板５０ｂは、後板３２の内壁３２ａと放熱部１０の後端１９
ｂとの間に配置される。遮熱板５０は、少なくとも放熱部１０が配置される上下方向の範囲に設けられる。これにより、遮熱板５０は、前板３１または後板３２の内壁３１ａ、３２ａ側に設けられる回路基板や配線類などの電子部品と放熱部１０との間を仕切り、放熱部１０と電子部品とを隔離する。遮熱板５０は、ベースとなる下板３３に下部が固定され、遮熱板５０の上方に位置するパネル取付具４５に上部が固定される。これにより、遮熱板５０およびパネル取付具４５は、暖房機１の内部骨格を構成している。
【００２３】
固定具６０は、例えば薄鋼板からなり、放熱部１０を支持し、前後方向に亘って一対の遮熱板５０に両端６５、７５が固定（架設）される。具体的には、固定具６０は、右固定具６１と、左固定具７１と、を有し、これら一対の固定具６０により放熱部１０を左右側面で支持し、遮熱板５０に固定される。
【００２４】
右固定具６１は、放熱部１０の右面１３側で放熱部１０を支持し、右面１３側で一対の遮熱板５０に固定される。右固定具６１は、前後方向に略直線的な形状を有し、遮熱板５０に固定される両端６５を有する。右固定具６１は、右固定具側ボルト孔６７と、肉抜き部６８と、を有する。右固定具側ボルト孔６７は、右固定具６１、左固定具７１および放熱部１０を連結するためのボルト８１が貫通する孔であり、貫通孔１５に対応する位置に設けられる。肉抜き部６８は、固定具６０から遮熱板５０へ熱を伝わりにくくする。
【００２５】
左固定具７１は、左面１４側で放熱部１０を支持し、左面１４側で一対の遮熱板５０に固定される。左固定具７１は、基部７２と、垂れ下がり部７３と、を有する。基部７２は、前後方向に略直線的な形状を有し、遮熱板５０に固定される両端７５を有する。垂れ下がり部７３は、基部７２の両端７５から中心寄りに前後方向の端部を有し、基部７２から垂れ下がる形状を有する。垂れ下がり部７３は、左固定具側ボルト孔７７と、肉抜き部７８と、を有する。左固定具側ボルト孔７７は、右固定具側ボルト孔６７と同様の作用を有し、貫通孔１５に対応する位置に設けられる。肉抜き部７８は、肉抜き部６８と同様の作用を有し、垂れ下がり部７３のうち、左固定具側ボルト孔７７が形成される領域以外の可能な限り広い範囲で形成される。
【００２６】
固定具６０は、放熱部１０の個数に対応する複数の固定具である。各固定具６０は、各放熱部１０を支持し、一対の遮熱板５０に固定される。すなわち、固定具６０は、上段放熱部１０ａを支持する一対の上段固定具６０ａと、中段放熱部１０ｂを支持する一対の中段固定具６０ｂと、下段放熱部１０ｃを支持する一対の下段固定具６０ｃと、を有する。上段固定具６０ａ、中段固定具６０ｂ、および下段固定具６０ｃは、右固定具側ボルト孔６７および左固定具側ボルト孔７７の位置以外は、形状、寸法において略同一である。
【００２７】
各一対の固定具６０（上段固定具６０ａ、中段固定具６０ｂ、下段固定具６０ｃ）は、放熱部１０（上段放熱部１０ａ、中段放熱部１０ｂ、下段放熱部１０ｃ）を挟み込み連結（固定）することにより、放熱部１０と一体となった放熱ユニット８０を形成する。図６に示すように、放熱ユニット８０においては、放熱部１０は、右面１３側に配置される右固定具６１と、左面１４側に配置される左固定具７１とにより挟み込まれている。左固定具側ボルト孔７７、貫通孔１５および右固定具側ボルト孔６７をボルト８１が順次貫通し、このボルト８１が右固定具６１側でナット８２により締められることにより、放熱ユニット８０は、一体化されている。
【００２８】
ボルト８１とナット８２による連結構造は、スペーサ８３と、ワッシャー８４と、を有する。スペーサ８３は、ボルト８１の外側に配置された状態で貫通孔１５内に挿入される。スペーサ８３は、放熱部１０の貫通孔１５の長さよりも長く、貫通孔１５の端部１５ａ、１５ｂから若干量突出している。ワッシャー８４は、貫通孔１５の右側端部１５ａと右固定具６１の内面６１ａとの間、および貫通孔１５の左側端部１５ｂと左固定具７１の内面７１ａとの間に配置される。ボルト８１、ナット８２およびスペーサ８３は、互いに同様の熱伝導率を有する材料（例えばステンレス鋼）からなる。ワッシャー８４は、熱伝導率が低く、耐熱性を有する材料（例えばテフロン（登録商標））または接触面積を減らして熱伝導を抑えたステンレス鋼製のウェーブワッシャーからなる。
【００２９】
スペーサ８３およびワッシャー８４は、放熱部１０と固定具６０とが、直接接することを回避するために設けられる。すなわち、貫通孔１５から突出したスペーサ８３の端部８３ａが、固定具６０と貫通孔１５の端部１５ａ、１５ｂとの間に隙間を形成し、その隙間に耐熱性のワッシャー８４が配置される。これにより、固定具６０は、放熱部１０に非接触となり、放熱部１０の熱が固定具６０に直接的に伝わることを回避できる。また、ボルト８１、ナット８２、およびスペーサ８３は、略同様の熱伝導率を有する材料、または同一の材料とすることで、熱による伸縮量が同じとなり、熱膨張の影響により放熱部１０の支持および遮熱板５０への固定に及ぼす歪みなどの影響を抑制する。
【００３０】
ところで、暖房機１は、空気入口４０から取り入れられる空気を効率よく放熱部１０と熱交換させて空気出口４６から放出することが好ましい。また、暖房機１は、筐体３０内を均一に温度上昇させて暖房効率を向上させ、ユーザの使用感を向上させることが求められる。これらを実現するため、本実施形態における暖房機１は、複数のフィン１２を上下方向において断続的に形成し、かつ暖房機１を上下方向視した場合、各フィン１２を上下方向に隣接する複数のフィン１２が形成する流路１６内に位置させている。
【００３１】
具体的には、図２および図３に示すように、各放熱部１０は、暖房機１を上下方向視（平面視）した場合に、放熱部１０が有する水平方向に隣接する複数のフィン１２が形成する流路１６の領域内に、上下方向に隣接する放熱部１０が有する各フィン１２が位置するように配置される。すなわち、上段放熱部１０ａの各フィン１２ａは、下方に隣接する中段放熱部１０ｂが有する水平方向に隣接する複数のフィン１２ｂが形成する流路１６ｂの幅（前後方向長さ）の範囲内に位置する。また、中段放熱部１０ｂの各フィン１２ｂは、下方に隣接する下段放熱部１０ｃが有する水平方向に隣接する複数のフィン１２ｃが形成する流路１６ｃの幅の範囲内に位置する。
【００３２】
このような構成は、例えば、上下方向に隣接する複数の放熱部１０が流路１６の幅よりも小さい距離分、前後方向（水平方向）にずらして配置されることで実現される。すなわち、固定具６０において、放熱部１０の固定位置である右固定具側ボルト孔６７および左固定具側ボルト孔７７が、上段固定具６０ａおよび下段固定具６０ｃと、中段固定具６０ｂとの間で前後方向にずれて形成される。これにより、上段固定具６０ａ、中段固定具６０ｂおよび下段固定具６０ｃの両端６５、７５の位置を前後方向において揃えて遮熱板５０に固定すると、上段放熱部１０ａ、中段放熱部１０ｂおよび下段放熱部１０ｃは前後方向にずれて、筐体３０内に配列される。
【００３３】
なお、上下に隣接するフィン１２のずれ量は、特に限定されないが、例えば流路１６の幅（前後方向長さ）の１／２程度が好ましい。フィン１２の下端に衝突した空気が均一に拡散されるためである。
【００３４】
このような暖房機１は、暖房効率を向上させることができる。すなわち、図５に示すように、下段放熱部１０ｃのフィン１２ｃが形成する流路１６ｃを通る空気は、フィン１２ｃの上端１７ｃまで上昇すると、中段放熱部１０ｂのフィン１２ｂの下端１８ｂに衝突する。また、中段放熱部１０ｂのフィン１２ｂが形成する流路１６ｂを通る空気は、フィン１２ｂの上端１７ｂまで上昇すると、上段放熱部１０ａのフィン１２ａの下端１８ａに衝突する。衝突したこれらの空気は、熱とともに左右方向に拡散するため、筐体３０内の熱は拡散しやすくなる。これにより、筐体３０内の空気は、好適に混ざり合い、温度が均一化される。
【００３５】
よって、暖房機１は、放熱部１０の熱を効率よく空気に伝達でき、暖房機１全体を均一に素早く暖める速暖性能を向上させることができる。また、放熱部１０から空気への熱伝達率の向上は、放熱部１０の高熱化を抑制でき、暖房機１の安全性の向上、および高熱化による耐久性の低下を抑制できる。さらに、暖房機１は、空気出口４６から放出される空気の温度を均一化でき、ユーザの使用感を向上させることもできる。
【００３６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００３７】
例えば、暖房機１を上下方向視した場合に、各フィン１２を上下方向に隣接する複数のフィン１２が形成する流路１６内に位置させるため、固定具６０と放熱部１０との固定位置を上下において隣接する放熱部１０間でずらしたが、他の方法で実現してもよい。例えば、固定具６０の両端６５、７５の遮熱板５０に対する固定位置を上下方向において隣接する放熱部１０間でずらしてもよい。また、放熱部１０におけるフィン１２の形成位置を、上下方向において隣接する放熱部１０間でずらしてもよい。
【００３８】
さらに、発熱部２０が主に水平方向に延びるＵ字形状のシーズヒータである例を説明したが、上下方向に延びたり、Ｉ字、Ｌ字形状などの他の形状であったり、シーズヒータ以外の他の種類のヒータであったりしてもよい。
【００３９】
例えば、図７は、発熱部が上下方向に延びる場合の変形例としての暖房機が有する放熱部１１０の構成図である。放熱部１１０が暖房機１の放熱部１０と異なる点は、発熱部収容部１１１が、主に上下方向に延びたＵ字形状を有する発熱部を、端子を下方に露出して収容する点である。このような放熱部１１０は、上下方向において切断部１１３を有するフィン１１２を有することで断続的に形成される。また、フィン１１２は、切断部１１３を介して上下方向に隣接するフィン１１２に対して左右方向（水平方向）にずれることにより、上下方向視した場合において上下方向に隣接するフィン１１２が形成する流路１１６内に位置する。このように、本発明に係る暖房機は、発熱部の配置方向に限定されることなく、あらゆる暖房機に適用できる。
【符号の説明】
【００４０】
１  暖房機
１０、１０ａ、１０ｂ、１０ｃ、１１０  放熱部
１１、１１１  発熱部収容部
１２、１２ａ、１２ｂ、１２ｃ、１１２  フィン
１５  貫通孔
１６、１６ｂ、１６ｃ、１１６  流路
２０  発熱部
３０  筐体
３１  前板
３２  後板
３３  下板
３４  上カバー
３５  左右パネル
５０、５０ａ、５０ｂ  遮熱板
６０  固定具
６１  右固定具
６５、７５  両端
６８、７８  肉抜き部
７１  左固定具
８０  放熱ユニット
１１３  切断部
【図１】
2020148413.tif 000003
【図２】
2020148413.tif 000004
【図３】
2020148413.tif 000005
【図４】
2020148413.tif 000006
【図５】
2020148413.tif 000007
【図６】
2020148413.tif 000008
【図７】
2020148413.tif 000009